(57)【特許請求の範囲】
【請求項１】
一対のつり合いおもり用ガイドレールと乗場との間に一対のかご用ガイドレールが配置されている昇降路に設けられるエレベーター昇降路足場装置であって、
一対の前記つり合いおもり用ガイドレールに設けられた目板の頂面に載せられ、前記目板から吊り下げられる一対の吊り部材と、
一方が、一対の前記吊り部材に渡って設けられ、一対の前記吊り部材に支持され、他方が、前記乗場に設けられ、前記乗場の出入口に対して両端部が幅方向外側に配置された２つの長尺部材と、
足場板を有し、前記２つの長尺部材に渡って設けられる足場部材と
を備え、
前記足場部材は、
足場板本体と、
前記足場板本体の長手方向両端部に設けられ、前記２つの長尺部材を把持するパイプ把持部と
を有し、
前記パイプ把持部は、
Ｕ字形状の受部と、
前記受部に回動可能に設けられ、前記受部との間に前記長尺部材が配置される場合に前記受部に対して固定されるロック部と
を有しているエレベーター昇降路足場装置。
【請求項２】
前記吊り部材は、前記長尺部材の高さ方向の位置が変化するように前記長尺部材を支持している請求項１に記載のエレベーター昇降路足場装置。
【請求項３】
前記足場板は、前記乗場と前記長尺部材とに渡って設けられる請求項１または請求項２に記載のエレベーター昇降路足場装置。
【請求項４】
前記足場部材は、前記乗場と前記長尺部材とに渡って設けられ互いに幅方向に離れて配置される一対の渡し部材をさらに有し、
前記足場板は、幅方向に延びるように一対の前記渡し部材に渡って設けられる請求項１または請求項２に記載のエレベーター昇降路足場装置。
【発明の詳細な説明】
【技術分野】
【０００１】
この発明は、昇降路に設置されるエレベーター昇降路足場装置に関する。
【背景技術】
【０００２】
従来、それぞれのつり合いおもり用ガイドレールを水平方向に挟むことによってつり合いおもり用ガイドレールに固定される一対の固定金具と、一対の固定金具に渡って設けられた固定部材と、固定部材と乗場とに渡って設けられた案内レールと、案内レールに支持された枠体と、枠体に支持された複数の足場板とを備えたエレベーター昇降路足場装置が知られている（例えば、特許文献１参照）。
【先行技術文献】
【特許文献】
【０００３】
【特許文献１】特開平９−３０１６５２号公報
【発明の概要】
【発明が解決しようとする課題】
【０００４】
しかしながら、固定金具は、つり合いおもり用ガイドレールを水平方向に挟むことによってつり合いおもり用ガイドレールに固定されるので、足場板に下方への力が加えられた場合に足場板が下方へ移動してしまう問題点があった。
【０００５】
この発明は、足場板が下方へ移動することを防止することができるエレベーター昇降路足場装置を提供するものである。
【課題を解決するための手段】
【０００６】
この発明に係るエレベーター昇降路足場装置は、一対のつり合いおもり用ガイドレールと乗場との間に一対のかご用ガイドレールが配置されている昇降路に設けられるエレベーター昇降路足場装置であって、一対のつり合いおもり用ガイドレールに設けられた目板の頂面に載せられ、目板から吊り下げられる一対の吊り部材と、一方が、一対の吊り部材に渡って設けられ、一対の吊り部材に支持され、他方が、乗場に設けられ、乗場の出入口に対して両端部が幅方向外側に配置された２つの長尺部材と、足場板を有し、２つの長尺部材に渡って設けられる足場部材とを備え、足場部材は、足場板本体と、足場板本体の長手方向両端部に設けられ、２つの長尺部材を把持するパイプ把持部とを有し、パイプ把持部は、Ｕ字形状の受部と、受部に回動可能に設けられ、受部との間に長尺部材が配置される場合に受部に対して固定されるロック部とを有している。
【発明の効果】
【０００７】
この発明に係るエレベーター昇降路足場装置によれば、一対のつり合いおもり用ガイドレールに設けられた目板の頂面に載せられ、目板から吊り下げられる一対の吊り部材と、一対の吊り部材に渡って設けられ、一対の吊り部材に支持される長尺部材と、足場板を有し、乗場と長尺部材とに渡って設けられる足場部材とを備えているので、足場板が下方へ移動することを防止することができる。
【図面の簡単な説明】
【０００８】
【図１】この発明の実施の形態１に係るエレベーター昇降路足場装置を示す平面図である。
【図２】図１のガイドレールおよび吊り部材を示す側面図である。
【図３】図２の支持板を示す拡大図である。
【図４】図３の支持板を示す平面図である。
【図５】図１の足場板を示す側面図である。
【図６】図５のパイプ把持部が単管パイプを把持する様子を示す図である。
【図７】図１の足場板を乗場から昇降路に搬入する様子を示す図である。
【図８】図７の足場板を単管パイプに取り付ける様子を示す図である。
【図９】図６の搬出入装置の変形例を示す図である。
【図１０】図９の足場板を単管パイプに取り付ける様子を示す図である。
【発明を実施するための形態】
【０００９】
実施の形態１．
図１はこの発明の実施の形態１に係るエレベーター昇降路足場装置を示す平面図である。図において、昇降路１００には、一対のかご用ガイドレール１０１と、一対のつり合いおもり用ガイドレール１０２とが高さ方向に延びるように配置されている。一対のつり合いおもり用ガイドレール１０２は、つり合いおもり用ガイドレール１０２と乗場１０３との間に一対のかご用ガイドレール１０１が配置されるように配置されている。言い換えれば、一対のつり合いおもり用ガイドレール１０２は、一対のかご用ガイドレール１０１よりも乗場１０３から離れて配置されている。一対のつり合いおもり用ガイドレール１０２は、互いに対向して配置されている。
【００１０】
それぞれのつり合いおもり用ガイドレール１０２は、昇降路１００の壁に対向する平板部１０４と、平板部１０４から他方のつり合いおもり用ガイドレール１０２に向かって突出する案内板１０５とを有している。
【００１１】
エレベーター昇降路足場装置は、一対のつり合いおもり用ガイドレール１０２のそれぞれに設けられる一対の吊り部材１と、一対の吊り部材１に渡って設けられ、一対の吊り部材１に支持される長尺部材である単管パイプ２と、乗場１０３に設けられた仮囲い３と、乗場１０３における仮囲い３の内側の部分に設けられた単管パイプ４と、複数の足場板５１を有し、単管パイプ４と単管パイプ２とに渡って設けられる足場部材５とを備えている。
【００１２】
図２は図１のつり合いおもり用ガイドレール１０２および吊り部材１を示す側面図である。それぞれのつり合いおもり用ガイドレール１０２は、高さ方向に並ぶ一対のガイドレール片１０６を有している。高さ方向に並ぶ一対のガイドレール片１０６の間には、目板１０７が固定されている。一対のガイドレール片１０６が目板１０７に固定されることによって、一対のガイドレール片１０６が互いに固定される。目板１０７は、平板部１０４の裏面にボルトおよびナットを用いて固定されている。平板部１０４の裏面とは、平板部１０４における昇降路１００の壁に対向する面である。
【００１３】
吊り部材１は、目板１０７の頂面に載せられる支持板１１と、上端部が支持板１１に接続され、支持板１１に支持されるチェーン１２と、チェーン１２の下端部に設けられ、単管パイプ２を把持する把持部１３とを有している。チェーン１２の高さ方向の寸法が変化することによって、単管パイプ２の高さ方向の位置が変化する。言い換えれば、吊り部材１は、単管パイプ２の高さ方向の位置が変化可能となるように単管パイプ２を支持する。
【００１４】
図３は図２の支持板１１を示す拡大図、図４は図３の支持板１１を示す平面図である。支持板１１は、平板部１０４の背面に設けられる裏板１１１と、裏板１１１に取り付けられるレールクリップ１１２と、レールクリップ１１２を裏板１１１に固定するための締結部材であるボルト１１３およびナット１１４とを有している。
【００１５】
裏板１１１は、平板部１０４の背面に設けられる裏板本体１１５と、平板部１０４の幅方向一端部を平板部１０４の厚さ方向に挟む一端部挟み部１１６とを有している。裏板本体１１５と一端部挟み部１１６とは、一体に形成されている。裏板本体１１５には、ボルト１１３が挿入される複数の長穴１１７が形成されている。長穴１１７は、裏板本体１１５を厚さ方向に貫通している。また、長穴１１７は、幅方向について一端部挟み部１１６から離れるにつれて上方に向かうように水平面に対して傾斜している。
【００１６】
ボルト１１３は、長穴１１７およびレールクリップ１１２に形成された図示しない貫通孔を貫通している。ナット１１４は、ボルト１１３の先端部に嵌められている。ボルト１１３の頭部とナット１１４とによってレールクリップ１１２が裏板本体１１５に押し付けられている場合には、裏板１１１に対してレールクリップ１１２が固定される。レールクリップ１１２の裏板本体１１５への押し付けが解除された場合には、レールクリップ１１２は、裏板１１１に対して長穴１１７に沿って移動可能である。レールクリップ１１２が長穴１１７に沿って移動することによって、レールクリップ１１２と一端部挟み部１１６との間の寸法が変更される。これにより、幅方向の寸法が異なる複数のつり合いおもり用ガイドレール１０２に対して支持板１１を取り付けることができる。
【００１７】
また、レールクリップ１１２が長穴１１７に沿って移動可能である場合には、レールクリップ１１２、ボルト１１３およびナット１１４のそれぞれの自重によって、レールクリップ１１２が平板部１０４の幅方向他端部に当たるまで長穴１１７に沿ってレールクリップ１１２が移動する。これにより、一端部挟み部１１６が平板部１０４の幅方向一端部を挟んでいる場合に、レールクリップ１１２は、レールクリップ１１２と裏板本体１１５とが平板部１０４の幅方向他端部を挟むように、自重によってレールクリップ１１２が移動する。その結果、より確実に、レールクリップ１１２と裏板本体１１５とが平板部１０４の幅方向他端部を挟むことができる。
【００１８】
レールクリップ１１２および裏板本体１１５は、平板部１０４の幅方向他端部を平板部１０４の厚さ方向に挟んでいる。また、レールクリップ１１２および一端部挟み部１１６は、平板部１０４を平板部１０４の幅方向に挟んでいる。したがって、支持板１１は、つり合いおもり用ガイドレール１０２に対する、平板部１０４の幅方向および平板部１０４の厚さ方向についての移動が規制される。
【００１９】
裏板１１１には、チェーン１２が掛けられる貫通孔１１８が形成されている。チェーン１２の上端部が貫通孔１１８に掛けられることによって、チェーン１２が支持板１１に支持される。
【００２０】
図５は図１の足場板５１を示す側面図である。足場板５１は、足場板本体５１１と、足場板本体５１１の長手方向両端部に設けられ、単管パイプ２および単管パイプ４を把持する一対のパイプ把持部５１２とを有している。図５には、単管パイプ２を把持するパイプ把持部５１２のみを示している。パイプ把持部５１２は、Ｕ字形状の受部５１３と、受部５１３に回動可能に設けられたロック部５１４とを有している。
【００２１】
図６は図５のパイプ把持部５１２が単管パイプ２を把持する様子を示す図である。受部５１３に単管パイプ２を挿入すると、ロック部５１４が受部５１３に対しておよそ１８０度だけ回動する。これにより、受部５１３とロック部５１４との間に単管パイプ２が配置される。このとき、ロック部５１４は、受部５１３に対して固定されるようになっている。これにより、パイプ把持部５１２は、単管パイプ２を把持する。
【００２２】
図７は図１の足場板５１を乗場１０３から昇降路１００に搬入する様子を示す図である。エレベーター昇降路足場装置は、昇降路１００に対して足場板５１を搬出入する搬出入装置６Ａをさらに備えている。搬出入装置６Ａは、乗場１０３を転動するローラ６１と、ローラ６１に支持されるＬ字形状の足場部材受部６２とを有している。搬出入装置６Ａを用いて昇降路１００に足場板５１を搬入する場合には、足場板５１の先端部が基端部よりも上方に配置されるように足場部材受部６２を水平面に対して傾斜させる。
【００２３】
図８は図７の足場板５１を単管パイプ２に取り付ける様子を示す図である。足場板５１が昇降路１００に搬入された場合には、足場板５１が水平面に沿うように、ローラ６１を中心に足場部材受部６２を回動させる。これにより、パイプ把持部５１２が単管パイプ２を把持する。
【００２４】
以上説明したように、この発明の実施の形態１に係るエレベーター昇降路足場装置によれば、一対のつり合いおもり用ガイドレール１０２に設けられた目板１０７の頂面に載せられ、目板１０７から吊り下げられる一対の吊り部材１と、一対の吊り部材１に渡って設けられ、一対の吊り部材１に支持される単管パイプ２と、足場板５１を有し、乗場１０３と単管パイプ２とに渡って設けられる足場部材５とを備えているので、足場板５１が下方へ移動することを防止することができる。
【００２５】
また、吊り部材１は、単管パイプ２の高さ方向の位置が変化するように単管パイプ２を支持しているので、目板１０７の高さ方向の位置が異なる複数のエレベーターに対しても、単管パイプ２の高さ方向の位置と乗場１０３の高さ方向の位置とを一致させることができる。
【００２６】
図９は図６の搬出入装置の変形例を示す図である。搬出入装置６Ｂは、乗場１０３に設けられ足場板５１がスライド可能なスライダーであってもよい。足場板５１は、昇降路１００に搬出入する方向にスライド可能となっている。図１０は図９の足場板５１を単管パイプ２に取り付ける様子を示す図である。足場板５１が昇降路１００に搬入された場合には、パイプ把持部５１２が単管パイプ２を把持する。
【００２７】
なお、上記実施の形態では、足場板５１が昇降路１００の奥行方向に延びるように配置される足場部材５の構成について説明したが、これに限らず、例えば、足場部材５は、乗場１０３と単管パイプ２とに渡って設けられ互いに幅方向に離れて配置される一対の渡し部材をさらに有し、足場板５１は、幅方向に延びるように一対の渡し部材に渡って設けられる構成であってもよい。この場合、足場板５１が奥行方向に延びるように配置される場合と比較して、昇降路１００における足場板５１の面積を大きくすることができる。
【００２８】
また、上記実施の形態では、長尺部材として、単管パイプ２を例に説明したが、これに限らず、足場板５１の受部５１３が把持可能な部材であればよい。
【符号の説明】
【００２９】
１  吊り部材、２  単管パイプ、３  仮囲い、４  単管パイプ、５  足場部材、６Ａ、６Ｂ  搬出入装置、１１  支持板、１２  チェーン、１３  把持部、５１  足場板、６１  ローラ、６２  足場部材受部、１００  昇降路、１０１  かご用ガイドレール、１０２  つり合いおもり用ガイドレール、１０３  乗場、１０４  平板部、１０５  案内板、１０６  ガイドレール片、１０７  目板、１１１  裏板、１１２  レールクリップ、１１３  ボルト、１１４  ナット、１１５  裏板本体、１１６  一端部挟み部、１１７  長穴、５１１  足場板本体、５１２  パイプ把持部、５１３  受部、５１４  ロック部。
【図１】
0006576305.tif 000002
【図２】
0006576305.tif 000003
【図３】
0006576305.tif 000004
【図４】
0006576305.tif 000005
【図５】
0006576305.tif 000006
【図６】
0006576305.tif 000007
【図７】
0006576305.tif 000008
【図８】
0006576305.tif 000009
【図９】
0006576305.tif 000010
【図１０】
0006576305.tif 000011